(57)【要約】【課題】  低コストで効率的に粗骨材および細骨材からセメントペースト分を除去して高品質の骨材を再生することができる骨材再生装置を提供する。【解決手段】  骨材再生装置１０は、上下に可動する複数の突き棒１…をベッセル２内に備えている。複数の突き棒１…は平板状の突き棒取付部材３に平面視格子状に取り付けられており、突き棒取付部材３は四隅に設けられたガイド棒５…を介して平板状の支持部材４に連結されている。各突き棒１の先端部１ａは、先端に向けて断面積が階段状に小さくなっており、先端部１ａの鉛直高さは、少なくとも隣接する突き棒１の先端部１ａの鉛直高さと異なっている。また、水平方向に移動可能な投入コンベア８が投入口２ａに、排出コンベア９が排出口２ｂにそれぞれ備えられるとともに、ベッセル２の底面２ｃには底面２ｃを振動させるためのモータからなる振動フィーダ７、７が備えられている。【選択図】      図２
2005320211.tif 000002
【特許請求の範囲】
【請求項１】
コンクリート廃材を貯留する貯留容器と、当該貯留容器内で上下に可動し、前記コンクリート廃材を摩砕する複数の突き棒とを備えることを特徴とする骨材再生装置。
【請求項２】
前記突き棒は、先端に向けて断面積が階段状に小さくなる先端部を有することを特徴とする請求項１に記載の骨材再生装置。
【請求項３】
前記突き棒の先端部は、少なくとも隣接する前記突き棒の先端部と鉛直高さが異なることを特徴とする請求項１または２に記載の骨材再生装置。
【請求項４】
前記貯留容器は、前記コンクリート廃材を水平方向に搬送する振動フィーダを備えることを特徴とする請求項１乃至３のいずれかに記載の骨材再生装置。
【発明の詳細な説明】
【技術分野】
【０００１】
本発明は、コンクリート廃材から骨材を再生する骨材再生装置に関する。
【背景技術】
【０００２】
従来より、コンクリート塊から骨材を再生する方法には、ミルと呼ばれる筒状のものにコンクリート塊と一緒に鉄球や鉄棒を入れて回転させることで摩砕する方法、ミル内のロータと呼ばれる回転羽根が回転してコンクリート塊が強制的に押し出されるときに骨材に圧力がかかり摩砕・粉砕する方法、ミルの回転板によりコンクリート塊をミルの内壁等に衝突させて粉砕する方法などがある（例えば、特許文献１参照。）。
【特許文献１】特開平８−２４５２４８号公報  （第４−６頁、第２および第５図）
【発明の開示】
【発明が解決しようとする課題】
【０００３】
しかしながら、従来の方法によれば、砂利などの粗骨材は再生骨材としての品質を確保できるが、砂などの細骨材については再生骨材としての品質確保が難しかった。そのため、補助手段として、事前にコンクリート塊を加熱し、セメントペースト分に亀裂を入れておく方法があるが、装置が大型化し、加熱装置等が必要となるため、プラントコストが嵩むうえ、生産能力にも限界があるという問題がある。
本発明は、上述する問題点に鑑みてなされたもので、低コストで効率的に粗骨材および細骨材からセメントペースト分を除去して高品質の骨材を再生することができる骨材再生装置を提供することを目的とする。
【課題を解決するための手段】
【０００４】
上記目的を達成するため、本発明に係る骨材再生装置では、コンクリート廃材を貯留する貯留容器と、当該貯留容器内で上下に可動し、前記コンクリート廃材を摩砕する複数の突き棒とを備えることを特徴とする。
ここで、摩砕とは、コンクリート塊などからなるコンクリート廃材に圧縮力を加えながら、コンクリート廃材同士を互いに摩擦接触させることをいう。
本発明では、コンクリート廃材が貯留された貯留容器内で複数の突き棒が上下に可動することで、コンクリート廃材が複数の突き棒による打撃衝撃力を受けるとともに、コンクリート廃材同士が擦り合うことにより、コンクリート廃材表面のセメントペースト分が剥離する。その結果、高品質の骨材を再生することができる。特に、本発明では、打撃回数や骨材同士の擦り合い回数を調整できるので、砂などの細骨材の再生に大きな効果が期待できる。しかも、本発明では、加熱等の前処理が不要で、機構もシンプルであることから、システム全体として低コストで高能力のシステムを構築することができる。
【０００５】
また、本発明に係る骨材再生装置では、前記突き棒は、先端に向けて断面積が階段状に小さくなる先端部を有していることが好ましい。
本発明では、突き棒の先端部の断面積が先端に向けて階段状に小さくなっているので、コンクリート廃材の摩砕効率が向上し、且つ再生骨材の割れを防ぐことができる。
【０００６】
また、本発明に係る骨材再生装置では、前記突き棒の先端部は、少なくとも隣接する前記突き棒の先端部と鉛直高さが異なることが好ましい。
本発明では、突き棒の先端部の鉛直高さが少なくとも隣接する突き棒の先端部の鉛直高さと異なっているので、コンクリート廃材をムラなく打撃することができる。
【０００７】
また、本発明に係る骨材再生装置では、前記貯留容器は、前記コンクリート廃材 を水平方向 に搬送する振動フィーダを備えていてもよい。
本発明では、貯留容器が 振動フィーダを備えているので、コンクリート廃材を貯留容器に投入すれば、貯留容器内をコンクリート廃材が移動する間にセメントペースト分が剥離し、高品質の再生骨材を得ることができる。
【発明の効果】
【０００８】
本発明では、コンクリート廃材が貯留された貯留容器内で複数の突き棒が上下に可動することにより、コンクリート廃材表面のセメントペースト分が剥離する。その結果、高品質の骨材を再生することができる。特に、本発明では、打撃回数や骨材同士の擦り合い回数を調整できるので、砂などの細骨材の再生に大きな効果が期待できる。しかも、本発明では、加熱等の前処理が不要で、機構もシンプルであることから、システム全体として低コストで高能力のシステムを構築することができる。
【発明を実施するための最良の形態】
【０００９】
以下、本発明に係る骨材再生装置の実施形態について図面に基いて説明する。
図１は本発明に係る骨材再生装置の実施形態の一例を示す平面図であり、図２はそのＡ−Ａ矢視断面図である。また、図３は突き棒先端部の部分拡大詳細図である。
本実施形態による骨材再生装置１０は、上面に開口部を有する箱状の貯留容器（以下、ベッセルと呼ぶ。）２内に、上下に可動する複数の突き棒１…を備えている。
【００１０】
複数の突き棒１…は平板状の突き棒取付部材３に平面視格子状に取り付けられており、突き棒取付部材３は四隅に設けられたガイド棒５…を介して平板状の支持部材４に連結されている。また、支持部材４の中心部には上下に駆動する油圧シリンダ６が連結されている。
各突き棒１の先端部１ａは、先端に向けて断面積が階段状に小さくなっており、これにより、コンクリート廃材Ｃの摩砕効率が向上するとともに、再生骨材Ｒの割れを防ぐことができる。また、突き棒１の先端部１ａの鉛直高さが、少なくとも隣接する突き棒１の先端部１ａの鉛直高さと異なっており、コンクリート廃材Ｃをムラなく打撃することができる。
【００１１】
ベッセル２はコンクリート廃材Ｃを投入するための投入口２ａと再生骨材Ｒおよびセメントペースト分Ｐを排出するための排出口２ｂを有しており、水平方向に移動可能な投入コンベア８が投入口２ａに、排出コンベア９が排出口２ｂにそれぞれ備えられている。
ベッセル２の底面２ｃには、底面２ｃを振動させるためのモータからなる振動フィーダ７、７が備えられており、底面２ｃの振動に伴い、コンクリート廃材Ｃは投入口２ａから排出口２ｂへ移動するようになっている。
なお、図２では、ベッセル２の底面２ｃは水平になっているが、実際は、投入口２ａ側よりも排出口２ｂ側のほうが低い傾斜を有している。
【００１２】
次に、本実施形態による骨材再生装置１０を用いた骨材の再生方法について説明する。
図１に示すように、排出コンベア９に沿って複数の骨材再生装置１０…が並設されており、投入コンベア８を水平方向に移動しながら順次、複数の骨材再生装置１０…にコンクリート廃材Ｃを投入する。
投入口２ａより投入されたコンクリート廃材Ｃは、油圧シリンダ６の上下運動に連動して上下に可動する複数の突き棒１…による打撃衝撃力を受けつつ、振動フィーダ７、７の振動により排出口２ｂへと移動する。そして、コンクリート廃材Ｃが排出口２ｂへ到達した時点で、コンクリート廃材Ｃ表面のセメントペースト分Ｐは完全に剥離し、高品質の再生骨材Ｒとなっている。
排出口２ｂから排出された再生骨材Ｒおよびセメントペースト分Ｐは、排出コンベア９により、次の分級工程（図示省略）へ送られる。
なお、上記過程において発生する粉塵は、図示しない集塵機で集塵し、環境汚染を防止する。
【００１３】
本実施形態による骨材再生装置１０では、コンクリート廃材Ｃが貯留されたベッセル２内で複数の突き棒１…が上下に可動することにより、コンクリート廃材Ｃ表面のセメントペースト分Ｐが剥離する。その結果、高品質の再生骨材Ｒを得ることができる。特に、本実施形態による骨材再生装置１０では、打撃回数や骨材同士の擦り合い回数を調整できるので、砂などの細骨材の再生に大きな効果が期待できる。しかも、本実施形態による骨材再生装置１０では、加熱等の前処理が不要で、機構もシンプルであることから、システム全体として低コストで高能力のシステムを構築することができる。
【００１４】
以上、本発明に係る骨材再生装置の実施形態について説明したが、本発明は上記の実施形態に限定されるものではなく、その趣旨を逸脱しない範囲で適宜変更可能である。例えば、上記の実施形態では、貯留容器は上面に開口部を有するベッセルを使用しているが、貯留容器を密閉容器として微粉が拡散しないようにしてもよい。また、支持部材を駆動する装置は油圧シリンダに限られず、エアーシリンダなど他の駆動装置でもよい。
【図面の簡単な説明】
【００１５】
【図１】本発明に係る骨材再生装置の実施形態の一例を示す平面図である。
【図２】図１におけるＡ−Ａ矢視断面図である。
【図３】突き棒先端部の部分拡大詳細図である。
【符号の説明】
【００１６】
１  突き棒
２  ベッセル（貯留容器）
３  突き棒取付部材
４  支持部材
５  ガイド棒
６  油圧シリンダ
７  振動フィーダ
８  投入コンベア
９  搬出コンベア
１０  骨材再生装置
Ｃ  コンクリート廃材
Ｒ  再生骨材
Ｐ  セメントペースト分
【図１】
2005320211.tif 000003
【図２】
2005320211.tif 000004
【図３】
2005320211.tif 000005